(57)【要約】【課題】ボルトで固定する必要をなくす。【解決手段】仕切ガイド１３は、直方体形状を呈し上方に開口１１を有する容器本体１２と共に搬送用容器１０を構成し、容器本体１２における複数の位置に取付け可能な仕切板１４をガイドする。この仕切ガイド１３は、容器本体１２における互いに対向する一対の側面１７ｂ，１７ｄの内側に沿って配され、互いに対向する面に、仕切板１４の側端部が挿入される複数の縦溝２８ａ，２９ａを有する一対のガイド板２８，２９と、この一対のガイド板２８，２９を連結して、一対のガイド板２８，２９が容器本体１２における側面１７ｂ，１７ｄの内側に沿って配されるように支持するダンボールプラスチック３０と、を備え、容器本体１２に着脱可能に収容される。【選択図】図１
2012180093.tif 000002
【特許請求の範囲】
【請求項１】
直方体形状を呈し少なくとも上方に開口を有する容器本体と共に搬送用容器を構成し、前記容器本体における複数の位置に取付け可能な仕切板をガイドする仕切ガイドにおいて、
前記容器本体の互いに対向する一対の内側面に沿って配され、互いに対向する面に、前記仕切板の側端部が挿入される複数の縦溝を有する一対のガイド板と、
前記一対のガイド板を連結して、前記一対のガイド板が前記容器本体の内側面に沿って配されるように支持する支持部材と、を備え、
前記容器本体に着脱可能に収容されることを特徴とする、
仕切ガイド。
【請求項２】
前記支持部材は、少なくとも前記容器本体の内底面に沿って配される板状部材であることを特徴とする、
請求項１に記載の仕切ガイド。
【請求項３】
前記板状部材は、
前記容器本体の内底面に沿って配される底部と、
前記底部の両側に対して折曲げ可能に連続し、前記ガイド板が取り付けられる一対の側部と、を有することを特徴とする、
請求項２に記載の仕切ガイド。
【請求項４】
前記板状部材における前記側部は、前記底部に対する折曲げが解除される方向に復元力が働いて該側部自体を付勢することを特徴とする、
請求項３に記載の仕切ガイド。
【請求項５】
導電性を有することを特徴とする、
請求項１〜４のいずれかに記載の仕切ガイド。
【請求項６】
請求項１〜５のいずれかに記載の仕切ガイドと、
前記容器本体と、を備えることを特徴とする、
搬送用容器。
【発明の詳細な説明】
【技術分野】
【０００１】
本発明は、複数の物品をまとめて搬送する搬送用容器に関し、特に、搬送用容器における複数の位置に取付け可能な仕切板をガイドする仕切ガイドに関する。
【背景技術】
【０００２】
電子基板等の精密部品を持ち運ぶための搬送用容器がある。例えば、非特許文献１に記載されている搬送用容器は、直方体形状を呈し少なくとも上方に開口を有する容器本体と、この容器本体の互いに対向する一対の内側面に沿ってボルトで固定され、互いに対向する面に複数の縦溝を有する一対のガイド板と、この一対のガイド板に架け渡されるようにガイド板の縦溝に挿入される複数の仕切板と、を備えている。各仕切板は、互いに対向する面に、精密部品の側端部が挿入される複数の縦溝を有している。精密部品は、一対の仕切板に架け渡されるように仕切板の縦溝に挿入されることで、搬送用容器に収容される。
【０００３】
このような搬送用容器では、各仕切板に、精密部品が挿入される複数の縦溝を有しているから、複数の精密部品をまとめて収容し一度に持ち運べる。また、各ガイド板に、仕切板の側端部が挿入される複数の縦溝を有しているから、仕切板が挿入される縦溝の位置を変更することで、仕切板同士の間隔を自由に調整できる。これにより、あらゆる大きさの精密部品の持運びに対応できる。
【先行技術文献】
【非特許文献】
【０００４】
【非特許文献１】第一合成株式会社、［online］、製品情報（工業部門）  搬送・保管・ピッキング  ラックトレー、［平成２３年２月７日検索］、インターネット（ＵＲＬ：http://www.daiichigosei.co.jp/product/kougyou01.html）
【発明の概要】
【発明が解決しようとする課題】
【０００５】
しかしながら、上記の搬送用容器は、ガイド板を固定するボルトが容器本体から飛び出しており、安全面およびデザイン面で改善の余地がある。また、洗浄したり廃棄したりする場合等において各部品を解体するときには、ボルトを外す必要があり作業が面倒である。さらに、解体した後の容器本体は、ボルト孔等のキズを有しており、用途を変えて使用することに不向きである。そして、ユーザが既存の容器本体にガイド板を後付けする場合、容器本体にボルト孔を開ける必要があり作業が面倒である。
【０００６】
本発明は、上記課題を鑑みてなされたものであり、ボルトで固定する必要がない仕切ガイドおよび搬送用容器を提供することを目的とする。
【課題を解決するための手段】
【０００７】
（１）本発明は、直方体形状を呈し少なくとも上方に開口を有する容器本体と共に搬送用容器を構成し、前記容器本体における複数の位置に取付け可能な仕切板をガイドする仕切ガイドにおいて、前記容器本体の互いに対向する一対の内側面に沿って配され、互いに対向する面に、前記仕切板の側端部が挿入される複数の縦溝を有する一対のガイド板と、前記一対のガイド板を連結して、前記一対のガイド板が前記容器本体の内側面に沿って配されるように支持する支持部材と、を備え、前記容器本体に着脱可能に収容されることを特徴とする、仕切ガイドである。
【０００８】
本発明によれば、仕切ガイドを容器本体に収容し、各ガイド板の縦溝に複数の仕切板を挿入した場合において、各仕切板の互いに対向する面に、電子基板等の物品が挿入される複数の縦溝が有されているときは、複数の物品をまとめて収容し一度に持ち運べる。また、各ガイド板に、仕切板の側端部が挿入される複数の縦溝を有しているから、仕切板が挿入される縦溝の位置を変更することで、仕切板同士の間隔を自由に調整できる。これにより、あらゆる大きさの物品の持運びに対応できる。
【０００９】
また、仕切ガイドを容器本体にボルトで固定する必要がない。このため、従来品と比較して安全面およびデザイン面で優れている。また、搬送用容器を洗浄したり廃棄したりする場合等において各部品を解体するときには、ボルトを外す必要がなく作業が簡単である。さらに、解体した後の容器本体は、ボルト孔等のキズを有しておらず、用途を変えて使用できて無駄がない。そして、ユーザが既存の容器本体にガイド板を後付けする場合、容器本体にボルト孔を開ける必要がなく作業が簡単である。
【００１０】
（２）本発明はまた、前記支持部材は、少なくとも前記容器本体の内底面に沿って配される板状部材であることを特徴とする、上記（１）に記載の仕切ガイドである。
【００１１】
上記発明によれば、容器本体および支持部材が導電性を有する場合において、容器本体の内底面および支持部材を面接触させるときは、容器本体に収容する物品が帯電することが防止される。すなわち、持ち運ぶ物品を静電気から保護できる。これは、放電量が接触面積の２乗に比例する性質を利用したものである。
【００１２】
（３）本発明はまた、前記板状部材は、前記容器本体の内底面に沿って配される底部と、前記底部の両側に対して折曲げ可能に連続し、前記ガイド板が取り付けられる一対の側部と、を有することを特徴とする、上記（２）に記載の仕切ガイドである。
【００１３】
上記発明によれば、仕切ガイドを容器本体から取り外した場合において、側部の底部に対する折曲げを解除して広げることで、コンパクトに管理できる。
【００１４】
（４）本発明はまた、前記板状部材における前記側部は、前記底部に対する折曲げが解除される方向に復元力が働いて該側部自体を付勢することを特徴とする、上記（３）に記載の仕切ガイド。
【００１５】
上記発明によれば、仕切ガイドを容器本体に収容した場合、板状部材の復元力によって、ガイド板の容器本体への支持が確実なものになる。
【００１６】
（５）本発明はまた、導電性を有することを特徴とする、上記（１）〜（４）のいずれかに記載の仕切ガイドである。
【００１７】
上記発明によれば、持ち運ぶ物品を静電気から保護できる。このため、物品、仕切ガイド、あるいは容器本体に塵埃が貼り付いたままとなることが防止される。ひいては、洗浄が容易となる。また、仕切ガイドを、炭素を加えた材料から構成し、導電性をもたせている場合には、黒色を呈するから、塵埃が貼り付いたとしても、塵埃が目立ち、洗浄が容易となる。
【００１８】
（６）本発明はまた、上記（１）〜（５）のいずれかに記載の仕切ガイドと、前記容器本体と、を備えることを特徴とする、搬送用容器である。
【発明の効果】
【００１９】
本発明の上記（１）〜（５）のいずれかに記載の仕切ガイド、および上記（６）に記載の搬送用容器によれば、ボルトで固定する必要がない。
【図面の簡単な説明】
【００２０】
【図１】本発明の第１実施形態に係る搬送用容器の外観斜視図である。
【図２】図１に示す搬送用容器の分解斜視図である。
【図３】図１に示す搬送用容器の分解斜視図である。
【図４】図１に示す搬送用容器の外観斜視図であり、物品を収容している状態を示す。
【図５】図１に示す搬送用容器の使用手順を説明するフローチャートである。
【発明を実施するための形態】
【００２１】
以下、図面を参照して、本発明に係る搬送用容器について詳細に説明する。
【００２２】
まず、図１〜図４を用いて、搬送用容器１０の構成について説明する。図１は、搬送用容器１０の外観斜視図である。図２および図３は、搬送用容器１０の分解斜視図である。図４は、搬送用容器１０の外観斜視図であり、物品ＸＡ１を収容している状態を示す。なお、各図において、図面の簡略化のため、説明に不要な構成要件等の図示は適宜省略する。
【００２３】
図１〜図４に示す搬送用容器１０は、複数の電子基板等の物品ＸＡ１をまとめて収容し、一度に持ち運ぶために用いられる。この搬送用容器１０は、直方体形状を呈し上方に開口１１を有する容器本体１２と、この容器本体１２内に着脱可能に収容される仕切ガイド１３と、容器本体１２内に架け渡されるように着脱可能に収容されて、仕切ガイド１３に取り付けられる複数の仕切板１４と、を備えている。以下、上記各構成要件について説明する。
【００２４】
（容器本体）容器本体１２は、導電性材料を含んで形成されたダンボールプラスチック１７と、開口１１の縁に沿って配置される直線状の枠部材１８，１９，２０，２１と、開口１１の四隅に配置される平面視Ｌ字型のコーナー部材２２，２３，２４，２５と、両脇に配置される把手２６，２７と、を備えている。
【００２５】
ダンボールプラスチック１７は、ポリプロピレン（ＰＰ）に炭素等の導電性材料を加えて成形され、黒色を呈する中空構造の板状部材である。中空構造を採用しているので、耐久性、断熱性、耐薬性、遮音性、軽量性等に優れている。ダンボールプラスチック１７は、底面１７ａと、側面１７ｂ，１７ｃ，１７ｄ，１７ｅと、を備えており、適宜折り曲げられて箱形に成形される。側面１７ｂ，１７ｄには、把手２６，２７を取り付ける孔（図示省略）が形成されている。
【００２６】
枠部材１８〜２１は、断面コ字型のチャンネルであり、合成樹脂に炭素等の導電性材料を加えて一体に成形され、黒色を呈する。これらの枠部材１８〜２１は、開口１１の縁に沿って、ダンボールプラスチック１７の側面１７ｂ〜１７ｅの上端部に嵌め込まれる。枠部材１８〜２１は、コーナー部材２２〜２５と共に、ダンボールプラスチック１７にネジ（図示省略）等によって固定される。
【００２７】
コーナー部材２２〜２５は、平面視Ｌ字型のＬ字片（符号省略）と、このＬ字片のＬ字に沿った両端縁から下向きに延びる一対のクランプ片（符号省略）と、Ｌ字片のＬ字の外側縁から上向きに延びる囲い片（符号省略）と、を備え、合成樹脂に、炭素等の導電性材料を加えて一体に成形され、黒色を呈する。これらのコーナー部材２２〜２５は、開口１１の縁に沿って、枠部材１８〜２１の上に嵌め込まれる。コーナー部材２２〜２５は、枠部材１８〜２１と共に、ダンボールプラスチック１７にネジ（図示省略）等によって固定される。
【００２８】
把手２６，２７は、ポリプロピレンに炭素等の導電性材料を加えて成形され、黒色を呈する。これらの把手２６，２７は、ダンボールプラスチック１７の側面１７ｂ，１７ｄに形成された孔（図示省略）に嵌め込まれ、固定される。
【００２９】
このような容器本体１２には、第一合成株式会社（東京都八王子市）が市販する導電性ダンプラボックス（商品名）を採用できる。導電性ダンプラボックスの詳細は、実公平０６−００２９０３号公報を参考にされたい。
【００３０】
以上の容器本体１２によれば、枠部材１８〜２１およびコーナー部材２２〜２５が台座として機能するから、複数の搬送用容器１０を積み重ねたり、開口１１を蓋（図示省略）で塞いだりすることができる。また、コーナー部材２２〜２５における囲い片（符号省略）が脱落防止機能を有するから、積み重ねた複数の搬送用容器１０が崩れたり、開口１１を塞いだ蓋（図示省略）が落下したりすることが防止される。
【００３１】
（仕切ガイド）仕切ガイド１３は、容器本体１２における複数の位置に仕切板１４をガイドする。この仕切ガイド１３は、容器本体１２における互いに対向する一対の側面１７ｂ，１７ｄの内側に沿って配される一対のガイド板２８，２９と、この一対のガイド板２８，２９を連結して、一対のガイド板２８，２９が容器本体１２の側面１７ｂ，１７ｄに沿って配されるように支持するダンボールプラスチック３０と、ガイド板２８，２９をダンボールプラスチック３０に固定するリベット３１と、を備えている。仕切ガイド１３は、導電性を有する。
【００３２】
ガイド板２８，２９は、ポリスチレン（ＰＳ）に炭素等の導電性材料を加えて成形され、黒色を呈する。これらのガイド板２８，２９は、互いに対向する面に、仕切板１４の側端部が挿入される複数の縦溝２８ａ，２９ａが形成されている。ガイド板２８，２９には、リベット３１用のリベット孔（図示省略）が適宜形成されている。
【００３３】
ダンボールプラスチック３０は、１７と同様、ポリプロピレンに炭素等の導電性材料を加えて成形され、黒色を呈する中空構造の板状部材である。このダンボールプラスチック３０は、容器本体１２における底面１７ａの内側に沿って配される底部３０ａと、この底部３０ａの両側に対して折曲げ可能に連続し、ガイド板２８，２９が取り付けられる一対の側部３０ｂ，３０ｃと、を有する。
【００３４】
底部３０ａは、容器本体１２における底面１７ａの内側に面接触している。側部３０ｂ，３０ｃは、容器本体１２から取り出されて外力が加えられていない場合、底部３０ａに対して垂直よりも広がった状態、すなわち、底部３０ａに対して９０度を超えた状態となる。この側部３０ｂ，３０ｃは、底部３０ａに対して垂直よりも折り曲げた場合、すなわち、底部３０ａに対して９０度以下に折り曲げた場合、底部３０ａに対する折曲げが解除される方向に復元力が働き、該側部３０ｂ，３０ｃ自体を付勢する。側部３０ｂ，３０ｃには、リベット３１用のリベット孔（図示省略）が適宜形成されている。以上のダンボールプラスチック３０は、一対のガイド板２８，２９が容器本体１２における側面１７ｂ，１７ｄの内側に沿って配されるように支持する支持部材として機能する。
【００３５】
リベット３１は、ポリプロピレンに炭素等の導電性材料を加えて成形され、黒色を呈する。ダンボールプラスチック３０のリベット孔、ガイド板２８または２９のリベット孔の順に打ち込まれることで、ガイド板２８，２９をダンボールプラスチック３０に固定する。
【００３６】
（仕切板）仕切板１４は、合成樹脂に炭素等の導電性材料を加えて成形され、黒色を呈する板本体３３と、ステンレス等の金属材料から成形され、板本体３３を縁取る金属枠３４と、金属枠３４を板本体３３に固定するネジ（図示省略）と、を備える。板本体３３は、片面に、物品ＸＡ１の側端部が挿入される複数の縦溝３３ａが形成されている。この板本体３３の周囲には、ネジ孔（図示省略）が適宜形成されている。金属枠３４は、側方に突出する断面凸型の凸部３４ａを有する。この凸部３４ａは、ガイド板２８，２９の縦溝２８ａ，２９ａにガイドされる。金属枠３４には、ネジ孔（図示省略）が適宜形成されている。ネジ（図示省略）は、金属枠３４のネジ孔、板本体３３のネジ孔の順にねじ込まれることで、金属枠３４を板本体３３に固定する。
【００３７】
次に、搬送用容器１０の使用手順について図５に基づいて説明する。図５は、搬送用容器１０の使用手順を説明するフローチャートである。なお、容器本体１２に仕切ガイド１３が収容されていない状態から使用する場合を例に説明する。
【００３８】
まず、仕切ガイド１３におけるダンボールプラスチック３０の側部３０ｂ，３０ｃを底部３０ａに対して垂直に折り曲げてから、容器本体１２内に収容する（ステップ（以下、Ｓと略す。）１００）。
【００３９】
そして、複数の仕切板１４を、容器本体１２に収容する物品ＸＡ１の大きさに応じた間隔となるように、仕切ガイド１３におけるガイド板２８，２９の縦溝２８ａ，２９ａに挿入する（Ｓ２００）。
【００４０】
さらに、物品ＸＡ１を、仕切板１４における板本体３３の縦溝３３ａに順次挿入する（Ｓ３００）。
【００４１】
このように、搬送用容器１０によれば、仕切ガイド１３を容器本体１２に収容し、各ガイド板２８，２９の縦溝２８ａ，２９ａに複数の仕切板１４を挿入した場合、各仕切板１４における板本体３３の互いに対向する面に、物品ＸＡ１が挿入される複数の縦溝３３ａが形成されているから、複数の物品ＸＡ１をまとめて収容し一度に持ち運べる。また、各ガイド板２８，２９に、仕切板１４の側端部が挿入される複数の縦溝２８ａ，２９ａを有しているから、仕切板１４が挿入される縦溝２８ａ，２９ａの位置を変更することで、仕切板１４同士の間隔を自由に調整できる。これにより、あらゆる大きさの物品ＸＡ１の持運びに対応できる。
【００４２】
また、仕切ガイド１３を容器本体１２にボルトで固定する必要がない。このため、従来品と比較して安全面およびデザイン面で優れている。また、搬送用容器１０を洗浄したり廃棄したりする場合等において各部品を解体するときには、ボルトを外す必要がなく作業が簡単である。さらに、解体した後の容器本体１２は、ボルト孔等のキズを有しておらず、用途を変えて使用できて無駄がない。そして、ユーザが既存の容器本体１２にガイド板２８，２９を後付けする場合、容器本体１２にボルト孔を開ける必要がなく作業が簡単である。
【００４３】
また、容器本体１２およびダンボールプラスチック３０が導電性を有し、容器本体１２における底面１７ａの内側およびダンボールプラスチック３０が面接触しているから、容器本体１２に収容する物品ＸＡ１が帯電することが防止される。すなわち、持ち運ぶ物品ＸＡ１を静電気から保護できる。これは、放電量が接触面積の２乗に比例する性質を利用したものである。
【００４４】
さらに、仕切ガイド１３を容器本体１２から取り外した場合において、側部３０ｂ，３０ｃの底部３０ａに対する折曲げを解除して広げることで、コンパクトに管理できる。
【００４５】
そして、仕切ガイド１３を容器本体１２に収容した場合、ダンボールプラスチック３０の復元力によって、ガイド板２８，２９の容器本体１２への支持が確実なものになる。
【００４６】
次いで、静電気対策がなされているから、物品ＸＡ１、仕切ガイド１３、あるいは容器本体１２に塵埃が貼り付いたままとなることが防止される。ひいては、洗浄が容易となる。また、仕切ガイド１３を、炭素を加えた材料から構成し、黒色を呈するから、塵埃が貼り付いたとしても、塵埃が目立ち、洗浄が容易となる。
【００４７】
本発明は、上記各実施形態に限られるものではなく、その趣旨および技術思想を逸脱しない範囲で種々の変形が可能である。
【００４８】
すなわち、上記各実施形態において、リベット３１を打ち込んでガイド板２８，２９をダンボールプラスチック３０に固定しているが、粘着テープその他の手段を用いて固定するようにしてもよい。
【００４９】
あるいは、上記各実施形態において、容器本体１２の側面１７ｂ，１７ｄと、ダンボールプラスチック３０と、の間にくさび等の部材を介在させて、隙間を塞ぐようにしてもよい。その部材は、ダンボールプラスチック３０に予め粘着テープ等で貼り付けておいてもよい。
【００５０】
あるいは、上記各実施形態において、各構成要件の数量、形状、大きさは適宜変更できる。例えば、ガイド板２８，２９の縦溝２８ａ，２９ａの数量または互いの間隔、仕切板１４における板本体３３の縦溝３３ａの数量または互いの間隔、仕切板１４の数量等が挙げられる。また、仕切板１４における板本体３３の縦溝３３ａは、片面だけでなく、両面に有するようにしてもよい。
【符号の説明】
【００５１】
１０  搬送用容器
１１  開口
１２  容器本体
１３  仕切ガイド
１４  仕切板
１７  ダンボールプラスチック
１７ａ  底面
１７ｂ，１７ｃ，１７ｄ，１７ｅ  側面
１８，１９，２０，２１  枠部材
２２，２３，２４，２５  コーナー部材
２６，２７  把手
２８，２９  ガイド板
２８ａ，２９ａ  縦溝
３０  ダンボールプラスチック
３０ａ  底部
３０ｂ，３０ｃ  側部
３１  リベット
３３  板本体
３３ａ  縦溝
３４  金属枠
３４ａ  凸部
ＸＡ１  物品
【図１】
2012180093.tif 000003
【図２】
2012180093.tif 000004
【図３】
2012180093.tif 000005
【図４】
2012180093.tif 000006
【図５】
2012180093.tif 000007